(57)【特許請求の範囲】
【請求項１】
放送又は通信を介して番組コンテンツとアプリケーション管理情報とが多重化されて構成される番組コンテンツ信号を受信すると共に受信機側表示部を有する受信機と、前記受信機と連携可能であると共に前記受信機に対して、前記アプリケーション管理情報に記述されるアプリケーション情報を含む所定アプリケーションの識別情報又は取得先情報を含むアプリケーション情報の出力を要求する端末装置と、を有する端末連携システムであって、
前記端末装置は、
端末装置側通信部と、
表示面に配置され物体の接触を検出可能なタッチセンサを有する端末側表示部と、
前記端末側表示部に選択画面を表示させることなく、また前記受信機側に前記端末装置との連携情報を表示させることなく、前記タッチセンサにおける検出結果のみに基づいて、前記表示面における物体が接触した接触位置を座標として検出する座標検出部と、
前記座標検出部により検出された座標を、前記受信機の解像度情報に基づいて前記受信機側表示部における表示面の座標に変換する座標変換部と、
前記端末装置側通信部を介して、前記座標変換部により変換された変換座標の情報を含むアプリケーション指定情報を出力すると共に、前記アプリケーション指定情報により特定されるアプリケーションの識別情報又は取得先情報を含むアプリケーション情報の出力を要求するアプリケーション情報要求部と、を備え、
前記受信機は、
受信機側通信部と、
前記受信機側通信部を介して、前記アプリケーション指定情報と、前記アプリケーション情報の出力の要求とを受け付けるアプリケーション情報要求受付部と、
予め設定された表示優先度のルールに基づいて、アプリケーション、又はアプリケーションに対応づけられたアイコンの前記受信機側表示部における表示位置及び表示領域を管理するアプリケーションレイアウト管理部と、
前記アプリケーションレイアウト管理部からアプリケーション又は前記アイコンの表示位置及び表示領域を示す表示座標の情報を取得すると共に、前記表示座標及び前記アプリケーション指定情報に含まれる変換座標に基づいて、前記変換座標が含まれるか、又は、前記変換座標に最も近い座標に表示されるアプリケーション又は前記アイコンに対応づけられたアプリケーションを、要求アプリケーションと判定する要求アプリケーション判定部と、
前記受信機側通信部を介して、前記要求アプリケーションと判定されたアプリケーションの識別情報又は取得先情報を含むアプリケーション情報を前記端末装置に出力するアプリケーション情報出力部と、を備える
端末連携システム。
【請求項２】
前記受信機は、
前記番組コンテンツ信号から分離された前記アプリケーション管理情報を記憶するアプリケーション管理情報記憶部と、
前記アプリケーション管理情報記憶部に記憶されたアプリケーション管理情報から、前記要求アプリケーションと判定されたアプリケーションの識別情報、又は取得先情報を含むアプリケーション情報を抽出するアプリケーション情報抽出部と、を備え、
前記アプリケーション情報出力部は、前記アプリケーション情報抽出部により抽出された識別情報、又は取得先情報を含むアプリケーション情報を出力する
請求項１に記載の端末連携システム。
【請求項３】
前記アプリケーション管理情報は、前記アプリケーションに対応する取得先情報を複数含むと共に、端末装置用の取得先情報を含み、
アプリケーション情報抽出部は、前記アプリケーション管理情報記憶部に記憶されたアプリケーション管理情報から、前記要求アプリケーションと判定されたアプリケーションに対応する複数の取得先情報のうち少なくとも端末装置用の取得先情報を抽出する
請求項２に記載の端末連携システム。
【請求項４】
前記端末装置は、
前記端末装置側通信部を介して、前記アプリケーション情報に基づいて、所定アプリケーションを取得するアプリケーション取得部と、を備える
請求項２又は３に記載の端末連携システム。
【請求項５】
前記受信機は、
前記番組コンテンツ信号から分離された前記アプリケーション管理情報を記憶するアプリケーション管理情報記憶部と、
前記アプリケーション管理情報記憶部に記憶されたアプリケーション管理情報から、前記要求アプリケーションと判定されたアプリケーションの識別情報を抽出するアプリケーション情報抽出部と、を備え、
前記アプリケーション情報出力部は、前記アプリケーション情報抽出部により抽出された識別情報を含むアプリケーション情報を出力し、
前記端末装置は、
端末装置用のアプリケーション取得先情報を記憶する端末装置側取得先情報管理部と、
前記端末装置側取得先情報管理部に記憶した端末装置用のアプリケーション取得先情報により特定される取得先から、前記識別情報を含むアプリケーション情報に基づいて、所定アプリケーションを取得するアプリケーション取得部と、を備える
請求項１に記載の端末連携システム。
【請求項６】
前記アプリケーションレイアウト管理部は、
更に表示優先度を管理すると共に、表示優先度に応じてアプリケーション又は前記アイコンの表示位置及び表示領域を変更可能であって、
前記アプリケーション情報出力部が所定アプリケーションのアプリケーション情報を出力した場合、該所定アプリケーションにおける表示優先度を、該所定アプリケーション又は所定アプリケーションに対応づけられたアイコンが前記受信機側表示部に表示されない低い表示優先度に変更する
請求項１から５のいずれかに記載の端末連携システム。
【請求項７】
放送又は通信を介して番組コンテンツとアプリケーション管理情報とが多重化されて構成される番組コンテンツ信号を受信すると共に受信機側表示部を有する受信機と、前記受信機と連携可能であると共に前記受信機に対して、前記アプリケーション管理情報に記述されるアプリケーション情報を含む所定アプリケーションの識別情報又は取得先情報を含むアプリケーション情報の出力を要求する端末装置と、を有する端末連携システムに用いられる受信機であって、
受信機側通信部と、
前記受信機側通信部を介して、前記端末装置から、端末側表示部に選択画面を表示させることなく、また前記受信機側に前記端末装置との連携情報を表示させることなく、前記端末側表示部における表示面に配置され物体の接触を検出可能なタッチセンサの検出結果のみに基づく前記表示面における物体の接触位置の座標を該受信機の解像度情報に基づいて前記受信機側表示部における表示面の座標に変換した変換座標の情報を含むアプリケーション指定情報と、前記アプリケーション情報の出力の要求とを受け付けるアプリケーション情報要求受付部と、
予め設定された表示優先度のルールに基づいて、アプリケーション、又はアプリケーションに対応づけられたアイコンの前記受信機側表示部における表示位置及び表示領域を管理するアプリケーションレイアウト管理部と、
前記アプリケーションレイアウト管理部からアプリケーション又は前記アイコンの表示位置及び表示領域を示す表示座標の情報を取得すると共に、前記表示座標及び前記アプリケーション指定情報に含まれる変換座標に基づいて、前記変換座標が含まれるか、又は、前記変換座標に最も近い座標に表示されるアプリケーション又は前記アイコンに対応づけられたアプリケーションを、要求アプリケーションと判定する要求アプリケーション判定部と、
前記受信機側通信部を介して、前記要求アプリケーションと判定されたアプリケーションの識別情報又は取得先情報を含むアプリケーション情報を前記端末装置に出力するアプリケーション情報出力部と、を備える
受信機。
【発明の詳細な説明】
【技術分野】
【０００１】
本発明は、放送と通信との連携を図る機能を有する受信機と、該受信機と連携可能な端末装置と、を有する端末連携システムに関する。
また、本発明は、上記端末連携システムを構成する受信機に関する。
【背景技術】
【０００２】
近年、放送のデジタル化と通信のブロードバンド化の進展に伴い、放送通信連携サービスの実現に向けた研究開発が行われている。
放送通信連携サービスにおいては、放送と通信という異なる伝送路を用いて複数のコンテンツを配信し、デジタルテレビ等の受信機において、配信された複数のコンテンツを統合して提示する形態が想定される。
【０００３】
このような状況の下、番組コンテンツを効果的に楽しめるアプリケーション及び対応するコンテンツを、受信機で利用できることが検討されている（例えば、非特許文献１参照）。
【０００４】
また、近年、携帯電話機等の端末装置の普及が進むなか、受信機と端末装置とが連携した端末連携システムが提案されている（例えば、非特許文献２参照）。
【先行技術文献】
【非特許文献】
【０００５】
【非特許文献１】デジタル放送におけるアプリケーション実行環境  標準規格  ＡＲＩＢ  ＳＴＤ−Ｂ２３  １．２版  社団法人  電波産業会、平成２１年７月２９日
【非特許文献２】加藤久和、“Ｈｙｂｒｉｄｃａｓｔを目指して”、ＮＨＫ技研  Ｒ＆Ｄ、Ｎｏ．１２３、２０１０年９月、Ｐ５６−６３
【発明の概要】
【発明が解決しようとする課題】
【０００６】
ところで、近年では、個人が端末装置（携帯電話、スマートフォン、タブレット型端末など）を所有する環境が一般的になり、当該端末装置に対しても、受信機と同様、番組コンテンツを効果的に楽しめるアプリケーション及び対応するコンテンツを利用できることが期待される。
【０００７】
しかし、非特許文献１では、受信機へのアプリケーション提供を考慮したものであり、その他の端末装置へのアプリケーション提供については検討が不十分である。
【０００８】
また、非特許文献２に開示された端末連携システムにおいて、端末装置は、受信機に表示された画像をカメラで撮影することで、連携する情報を取得するように構成される。
ここで、非特許文献１に開示された端末連携システムにおいて、端末装置は、受信機において表示された画像を受信機から取得する必要があるため、受信機では連携させる情報を端末装置で解読可能な２次元コードのような形で表示させる必要がある。
【０００９】
これに対し、端末連携システムにおいて、受信機上で連携情報の画像を表示し、端末装置からその画像を撮影する工程を経ることなく、端末装置において直感的な操作を用いてアプリケーションを選択できることが望まれている。
また、受信機から端末装置に出力される情報量もできるだけ抑制されることが望まれている。
【００１０】
本発明は、受信機と端末装置とを含む端末連携システムであって、端末装置側に選択画面を表示させたり、受信機側に連携情報を表示させることなく直感的な方法でアプリケーションを選択可能であると共に、受信機から端末装置に出力する情報量が抑制された端末連携システムを提供することを目的とする。
また、本発明は、上記端末連携システムを構成する受信機を提供することを目的とする。
【課題を解決するための手段】
【００１１】
本発明は、放送又は通信を介して番組コンテンツとアプリケーション管理情報とが多重化されて構成される番組コンテンツ信号を受信すると共に受信機側表示部を有する受信機と、前記受信機と連携可能であると共に前記受信機に対して所定アプリケーションの識別情報又は取得先情報を含むアプリケーション情報の出力を要求する端末装置と、を有する端末連携システムであって、前記端末装置は、端末装置側通信部と、表示面に配置され物体の接触を検出可能なタッチセンサを有する端末側表示部と、前記タッチセンサにおける検出結果に基づいて、前記表示面における物体が接触した接触位置を座標として検出する座標検出部と、前記座標検出部により検出された座標を、前記受信機の解像度情報に基づいて前記受信機側表示部における表示面の座標に変換する座標変換部と、前記端末装置側通信部を介して、前記座標変換部により変換された変換座標の情報を含むアプリケーション指定情報を出力すると共に、前記アプリケーション指定情報により特定されるアプリケーションの識別情報又は取得先情報を含むアプリケーション情報の出力を要求するアプリケーション情報要求部と、を備え、前記受信機は、受信機側通信部と、前記受信機側通信部を介して、前記アプリケーション指定情報と、前記アプリケーション情報の出力の要求とを受け付けるアプリケーション情報要求受付部と、アプリケーション、又はアプリケーションに対応づけられたアイコンの前記受信機側表示部における表示位置及び表示領域を管理するアプリケーションレイアウト管理部と、前記アプリケーションレイアウト管理部からアプリケーション又は前記アイコンの表示位置及び表示領域を示す表示座標の情報を取得すると共に、前記表示座標及び前記アプリケーション指定情報に含まれる変換座標に基づいて、前記変換座標が含まれるか、又は、前記変換座標に最も近い座標に表示されるアプリケーション又は前記アイコンに対応づけられたアプリケーションを、要求アプリケーションと判定する要求アプリケーション判定部と、前記受信機側通信部を介して、前記要求アプリケーションと判定されたアプリケーションの識別情報又は取得先情報を含むアプリケーション情報を前記端末装置に出力するアプリケーション情報出力部と、を備える携帯連携システムに関する。
【００１２】
また、端末連携システムにおいて、前記受信機は、前記番組コンテンツ信号から分離された前記アプリケーション管理情報を記憶するアプリケーション管理情報記憶部と、前記アプリケーション管理情報記憶部に記憶されたアプリケーション管理情報から、前記要求アプリケーションと判定されたアプリケーションの識別情報、又は取得先情報を含むアプリケーション情報を抽出するアプリケーション情報抽出部と、を備え、前記アプリケーション情報出力部は、前記情報抽出部により抽出された識別情報、又は取得先情報を含むアプリケーション情報を出力することが好ましい。
【００１３】
また、端末連携システムにおいて、前記アプリケーション管理情報は、前記アプリケーションに対応する取得先情報を複数含むと共に、端末装置用の取得先情報を含み、アプリケーション情報抽出部は、前記アプリケーション管理情報記憶部に記憶されたアプリケーション管理情報から、前記要求アプリケーションと判定されたアプリケーションに対応する複数の取得先情報のうち少なくとも端末装置用の取得先情報を抽出することが好ましい。
【００１４】
また、端末連携システムにおいて、前記端末装置は、前記端末装置側通信部を介して、前記アプリケーション情報に基づいて、所定アプリケーションを取得するアプリケーション取得部と、を備えることが好ましい。
【００１５】
また、端末連携システムにおいて、前記受信機は、前記番組コンテンツ信号から分離された前記アプリケーション管理情報を記憶するアプリケーション管理情報記憶部と、前記アプリケーション管理情報記憶部に記憶されたアプリケーション管理情報から、前記要求アプリケーションと判定されたアプリケーションの識別情報を抽出するアプリケーション情報抽出部と、を備え、前記アプリケーション情報出力部は、前記アプリケーション情報抽出部により抽出された識別情報を含むアプリケーション情報を出力し、前記端末装置は、端末装置用のアプリケーション取得先情報を記憶する端末装置側取得先情報管理部と、前記端末装置側取得先情報管理部に記憶した端末装置用のアプリケーション取得先情報により特定される取得先から、前記識別情報を含むアプリケーション情報に基づいて、所定アプリケーションを取得するアプリケーション取得部と、を備えることが好ましい。
【００１６】
また、端末連携システムにおいて、前記アプリケーションレイアウト管理部は、更に表示優先度を管理すると共に、表示優先度に応じてアプリケーション又は前記アイコンの表示位置及び表示領域を変更可能であって、前記アプリケーション情報出力部が所定アプリケーション又は所定アプリケーションのアプリケーション情報を出力した場合、該所定アプリケーションにおける表示優先度を、該所定アプリケーション又は所定アプリケーションに対応づけられたアイコンが前記受信機側表示部に表示されない低い表示優先度に変更することが好ましい。
【００１７】
また、本発明は、放送又は通信を介して番組コンテンツとアプリケーション管理情報とが多重化されて構成される番組コンテンツ信号を受信すると共に受信機側表示部を有する受信機と、前記受信機と連携可能であると共に前記受信機に対して所定アプリケーションの識別情報又は取得先情報を含むアプリケーション情報の出力を要求する端末装置と、を有する端末連携システムに用いられる受信機であって、受信機側通信部と、前記受信機側通信部を介して、前記端末装置から、端末側表示部における表示面に配置され物体の接触を検出可能なタッチセンサの検出結果に基づく前記表示面における物体の接触位置の座標を該受信機の解像度情報に基づいて前記受信機側表示部における表示面の座標に変換した変換座標の情報を含むアプリケーション指定情報と、前記アプリケーション情報の出力の要求とを受け付けるアプリケーション情報要求受付部と、アプリケーション、又はアプリケーションに対応づけられたアイコンの前記受信機側表示部における表示位置及び表示領域を管理するアプリケーションレイアウト管理部と、前記アプリケーションレイアウト管理部からアプリケーション又は前記アイコンの表示位置及び表示領域を示す表示座標の情報を取得すると共に、前記表示座標及び前記アプリケーション指定情報に含まれる変換座標に基づいて、前記変換座標が含まれるか、又は、前記変換座標に最も近い座標に表示されるアプリケーション又は前記アイコンに対応づけられたアプリケーションを、要求アプリケーションと判定する要求アプリケーション判定部と、前記受信機側通信部を介して、前記要求アプリケーションと判定されたアプリケーションの識別情報又は取得先情報を含むアプリケーション情報を前記端末装置に出力するアプリケーション情報出力部と、を備える受信機に関する。
【発明の効果】
【００１８】
本発明によれば、受信機と端末装置とを含む端末連携システムであって、端末装置側に選択画面を表示させたり、受信機側に連携情報を表示させることなく直感的な方法でアプリケーションを選択可能であると共に、受信機から端末装置に出力する情報量が抑制された端末連携システムを提供することができる。
また、本発明によれば、上記端末連携システムを構成する受信機を提供することができる。
【図面の簡単な説明】
【００１９】
【図１】放送通信連携システムの全体構成図である。
【図２】デジタル放送に係る放送信号の伝送プロトコルのスタックを示す図である。
【図３】受信機の機能構成を示すブロック図である。
【図４】ＸＭＬ形式で記述されたＡＩＴの一例を示す図である。
【図５】端末連携システムにおける受信機側連携管理部及び端末装置側連携管理部の機能構成を示すブロック図である。
【図６Ａ】第１実施例における端末連携システムの動作を説明する模式図である。
【図６Ｂ】第２実施例における端末連携システムの動作を説明する模式図である。
【図７Ａ】端末装置側でアプリケーションを選択した場合における受信機側表示部及び端末側表示の画面変更を説明する図である。
【図７Ｂ】端末装置側でアプリケーションを選択した場合における受信機側表示部及び端末側表示の画面変更を説明する図である。
【図８Ａ】第１実施例における端末連携システムの動作を説明するフロー図である。
【図８Ｂ】第２実施例における端末連携システムの動作を説明するフロー図である。
【発明を実施するための形態】
【００２０】
以下、本発明の実施の形態について図面を参照して説明する。
図１は、本発明の一実施形態に係る放送通信連携システム１００の全体構成図である。放送通信連携システム１００は、放送局１と、放送用アンテナ２と、サービスサーバ３（配信サーバ）と、受信機４とを含んで構成される。この放送通信連携システム１００では、受信機４において、ＩＳＤＢ（Ｉｎｔｅｇｒａｔｅｄ  Ｓｅｒｖｉｃｅｓ  Ｄｉｇｉｔａｌ  Ｂｒｏａｄｃａｓｔｉｎｇ：統合デジタル放送サービス）方式によって放送局１から提供される放送サービスと、インターネット等により構成される通信ネットワークＮを介してサービスサーバ３から提供される通信サービスとを連携し、放送通信連携サービスとして受信機４のユーザに提供する。
また、本実施形態における放送通信連携システム１００は、受信機４に連携した端末装置４０を含む。
ここで、受信機４を端末装置４０とは、互いに連携することで、端末連携システム２００を構成する。
【００２１】
放送局１は、番組編成設備と、番組送出設備と、送信設備とを含んで構成される一般的なデジタル放送用の放送設備（図示省略）を備える。
放送局１は、放送設備によって、コンテンツや、イベント情報（Ｅｖｅｎｔ  Ｉｎｆｏｒｍａｔｉｏｎ  Ｔａｂｌｅ：ＥＩＴ）や、アプリケーション管理情報（Ａｐｐｌｉｃａｔｉｏｎ  Ｉｎｆｏｒｍａｔｉｏｎ  Ｔａｂｌｅ：ＡＩＴ）等を制作する。そして、放送局１は、放送設備によって、これらコンテンツ、イベント情報及びＡＩＴ等を放送信号に多重化する。そして、放送局１は、放送設備によって、この放送信号を放送波に変調し、放送用アンテナ２を介して放送波を放送する。
【００２２】
放送局１から放送される放送波に含まれるコンテンツには、放送スケジュールに従って放送され映像や音声を含んで構成されるコンテンツである番組コンテンツや、番組コンテンツとは非同期に発生する緊急地震速報等のコンテンツである緊急コンテンツ等が含まれる。
【００２３】
イベント情報は、番組コンテンツの名称、番組コンテンツの放送日時、番組コンテンツの説明等、コンテンツに関するメタ情報を含む。以下、イベント情報をＥＩＴという。
ＡＩＴは、番組コンテンツに連動するコンテンツを受信機４に提供可能なアプリケーションプログラム（以下、アプリケーションと記載する）を１又は複数管理するための管理情報である。ＡＩＴには、１又は複数のアプリケーションそれぞれに対応し、１又は複数のアプリケーションそれぞれを管理するための個別管理情報が、１又は複数含まれる。個別管理情報には、アプリケーションを識別するアプリケーションＩＤ（識別情報）や、アプリケーションのライフサイクルを制御するライフサイクル制御情報や、アプリケーションの所在を示すロケーション情報（取得先情報）が含まれている（図４参照）。
【００２４】
アプリケーションにより提供されるコンテンツには、番組コンテンツに連動するコンテンツ及び番組コンテンツに連動しないコンテンツが含まれる。以下、アプリケーションにより提供されるコンテンツをアプリ用コンテンツという。
【００２５】
放送信号は、従来のデジタル放送の放送信号と同一であり、ＡＲＩＢ（登録商標）（Ａｓｓｏｃｉａｔｉｏｎ  ｏｆ  Ｒａｄｉｏ  Ｉｎｄｕｓｔｒｉｅｓ  ａｎｄ  Ｂｒｏａｄｃａｓｔ：社団法人電波産業会）標準規格で規定される。
【００２６】
図２は、デジタル放送に係る放送信号の伝送プロトコルのスタックを示す図である。図２に示すように、デジタル放送によって提供される映像、音声等の各種データは、国際標準規格ＭＰＥＧ−２  Ｓｙｓｔｅｍｓで規定されるＴＳパケット（トランスポートストリームパケット）に格納されて、時分割で多重伝送される。
【００２７】
ＴＳパケットには、図２に示すように、セクションに対してＰＳＩ（Ｐｒｏｇｒａｍ  Ｓｐｅｃｉｆｉｃ  Ｉｎｆｏｒｍａｔｉｏｎ）／ＳＩ（Ｓｅｒｖｉｃｅ  Ｉｎｆｏｒｍａｔｉｏｎ）が規定されている。ＰＳＩ／ＳＩには、ＴＳパケットに格納されているデータの種別を示す情報や、コンテンツの種別を示す情報が含まれている。上述のＥＩＴは、ＳＩに含まれている。
【００２８】
ＴＳパケットによるデータ伝送は、セクションを用いてデータを伝送する方式とＰＥＳ（Ｐａｃｋｅｔｉｚｅｄ  Ｅｌｅｍｅｎｔａｒｙ  Ｓｔｒｅａｍ）パケットを用いてデータを伝送する方式（データストリーム伝送方式）とに分類される。
【００２９】
セクションを用いてデータを伝送する方式には、データカルーセル伝送方式と、イベントメッセージ伝送方式がある。
【００３０】
データカルーセル伝送方式は、１又は複数のデータを一定周期で繰り返し伝送される伝送方式であり、この伝送方式によって伝送される個々のデータ（モジュール）には個々のデータを識別するための識別情報が付されている。データカルーセル伝送方式は、受信機４側に個々のデータを任意のタイミングで取得させることを目的として用いられる。
【００３１】
イベントメッセージ伝送方式は、放送局１から受信機４に対して、トリガ信号を送るための方式である。イベントメッセージ伝送方式は、データ量が少ないメッセージを放送局１から受信機４に伝送する場合に用いられる。
【００３２】
データストリーム伝送方式は、伝送するデータをＰＥＳパケットに収容してストリームとして伝送する伝送方式である。データストリーム伝送方式は、映像、音声、字幕データ等のリアルタイム型のデータや、他のストリームとの同期を要するデータの伝送に用いられる。
【００３３】
ここで、ＡＩＴは、ＴＳパケットを用いて様々な方法によって伝送可能である。
すなわち、ＡＩＴは、ＴＳパケットのＳＩに含まれるＥＩＴに対して記述することによって伝送可能である。
【００３４】
また、ＡＩＴは、セクションを用いてデータカルーセル伝送方式により伝送可能である。ＡＩＴをデータカルーセル伝送方式により伝送する場合、受信機４側でＡＩＴであることを認識できるようにモジュールに対して識別情報が付される。
【００３５】
また、ＡＩＴは、ＰＥＳとしてコンテンツの映像や音声に多重させて伝送可能である。
【００３６】
また、ＡＩＴは、バイナリ表現又はＸＭＬ（Ｅｘｔｅｎｓｉｂｌｅ  Ｍａｒｋｕｐ  Ｌａｎｇｕａｇｅ）によるテキスト表現で記述して、ＴＳパケットに格納することができる。
本実施形態では、ＡＩＴの伝送方法は、上記の伝送方法の少なくともいずれかに予め規定されているものとする。
【００３７】
マルチメディア符号化（ＢＭＬ：Ｂｒｏａｄｃａｓｔ  Ｍａｒｋｕｐ  Ｌａｎｇｕａｇｅ）は、Ｗ３Ｃ（登録商標）（Ｗｏｒｌｄ  Ｗｉｄｅ  Ｗｅｂ  Ｃｏｎｓｏｒｔｉｕｍ）が定義したｘＨＴＭＬを基礎とし、手続き型言語にはＪａｖａＳｃｒｉｐｔ（登録商標）を基礎とした、ＥＣＭＡＳｃｒｉｐｔを用いて国際標準との整合性を考慮して定義された規格である。
【００３８】
サービスサーバ３は、図示は省略するが、番組コンテンツや、アプリケーションに対して配信するコンテンツ（アプリ用コンテンツ）を配信するコンテンツ配信サーバと、受信機４で動作する各種のアプリケーションを配信するアプリケーション配信サーバとを備える。
【００３９】
サービスサーバ３は、放送局１の設備と通信可能に接続されており、放送局１から番組コンテンツや、番組コンテンツのメタデータを受信する。
サービスサーバ３は、受信機４から番組コンテンツの取得要求を受け付けたことに応じて、受信機４に対して番組コンテンツを送信する。
【００４０】
また、サービスサーバ３は、受信機４からアプリケーションの取得要求を受け付けたことに応じて、受信機４に対してアプリケーションを送信する。更に、サービスサーバ３は、受信機４においてアプリケーションが実行されている場合に、アプリ用コンテンツの映像データや音声データ等を受信機４に送信する。
【００４１】
また、サービスサーバ３は、ＡＩＴを番組コンテンツに対して多重化させて受信機４に送信する。また、サービスサーバ３は、受信機４からＡＩＴの取得要求を受け付けたことに応じて、受信機４に対してＡＩＴを送信する。
【００４２】
受信機４は、放送局１からの放送又はサービスサーバ３との通信を介して受信する番組コンテンツに対して所定の処理を行うことにより、番組コンテンツの映像データ及び音声データを同期して出力する。また、受信機４は、ＡＩＴに基づいてアプリケーションを取得し、取得したアプリケーションを実行する。続いて、受信機４は、実行されているアプリケーションによってサービスサーバ３からアプリ用コンテンツの映像データや音声データ等を取得し、番組コンテンツの映像データ及び音声データに連携させて出力する。以下に、受信機４の機能について詳述する。
【００４３】
図３は、受信機４の機能構成を示すブロック図である。
受信機４は、放送波受信部１１と、第１分離部１２と、放送ＡＩＴ取得部１３と、受信機側通信部１４と、第２分離部１５と、通信ＡＩＴ取得部１６と、制御部１７と、音声制御部１８と、表示制御部１９と、スピーカ２０と、受信機側表示部２１と、メモリ２２と、ＡＩＴ記憶部２３（アプリケーション管理情報記憶部）と、アプリケーション記憶部２４と、受信機側連携管理部７０と、アプリケーションレイアウト管理部９１と、を備える。
【００４４】
放送波受信部１１は、放送用アンテナ２を介して放送局１から放送されている放送波を受信する。
【００４５】
第１分離部１２は、放送波受信部１１により受信した放送波を復調し、放送波から放送信号、すなわち、ＴＳパケットを抽出する。そして、第１分離部１２は、ＴＳパケットのＰＳＩ／ＳＩを参照して、ＴＳパケットに含まれているデータの種別を判別し、映像、音声、ＥＩＴ等の各種データを抽出する。また、第１分離部１２は、予め規定されているＡＩＴの伝送方法に応じて、セクション及びＰＥＳを参照してＡＩＴを抽出する。
【００４６】
続いて、第１分離部１２は、ＴＳパケットのＰＥＳに含まれているデータが音声データである場合、この音声データを音声制御部１８に出力する。また、第１分離部１２は、ＴＳパケットのＰＥＳに含まれているデータが映像データである場合、この映像データを表示制御部１９に出力する。
【００４７】
また、第１分離部１２は、抽出したＥＩＴやその他の各種データをメモリ２２に記憶させる。また、第１分離部１２は、ＡＩＴを抽出した場合、抽出したＡＩＴを放送ＡＩＴ取得部１３に出力する。
【００４８】
放送ＡＩＴ取得部１３は、第１分離部１２から出力されたＡＩＴを取得し、ＡＩＴ記憶部２３に記憶させる。
【００４９】
受信機側通信部１４は、１又は複数の通信方式によりサービスサーバ３や端末装置４０等とデータ等の送受信を行うための通信インタフェースである。
通信方式は特に制限されず、例えば、公衆網やＬＡＮ（Ｌｏｃａｌ  Ａｒｅａ  Ｎｅｔｗｏｒｋ）等の通信ネットワークＮを介した通信（有線、無線）、赤外線通信、ブルートゥース（Ｂｌｕｅｔｏｏｔｈ）通信を例示できる。
受信機側通信部１４は、本実施形態においては、通信ネットワークＮを介してサービスサーバ３とデータ等の送受信を行う通信インタフェース機能を有する。
また、受信機側通信部１４は、本実施形態においては、赤外線通信やブルートゥース通信などを利用して端末装置４０とデータ等の送受信を行う通信インタフェース機能を有する。
【００５０】
第２分離部１５は、受信機側通信部１４により受信されたデータの種別を判別する。第２分離部１５は、受信したデータがＡＩＴであると判別した場合、このＡＩＴを通信ＡＩＴ取得部１６に出力する。また、第２分離部１５は、受信したデータがアプリケーションであると判別した場合、このアプリケーションを制御部１７に出力する。
【００５１】
そして、第２分離部１５は、ＡＩＴを抽出した場合、このＡＩＴを通信ＡＩＴ取得部１６に出力し、ＡＩＴ以外のデータを抽出した場合、このデータを制御部１７に出力する。
【００５２】
通信ＡＩＴ取得部１６は、第２分離部１５から出力されたＡＩＴを取得し、ＡＩＴ記憶部２３に記憶させる。
【００５３】
制御部１７は、アプリケーション実行制御部１７ａと、受け渡し部１７ｂとを有する。
アプリケーション実行制御部１７ａは、ＡＩＴ又はリモコン（不図示）を介したユーザの実行指示に基づいてアプリケーションを取得し、取得したアプリケーションの実行を制御する。そして、アプリケーション実行制御部１７ａは、アプリケーションの実行によってサービスサーバ３から取得されたアプリ用コンテンツの音声データを音声制御部１８に出力するとともに、サービスサーバ３から取得されたアプリ用コンテンツの映像データを表示制御部１９に出力する。
【００５４】
受け渡し部１７ｂは、ＡＩＴ記憶部２３に記憶されるＡＩＴ（アプリケーション管理情報）を受信機側連携管理部７０に出力する。受け渡し部１７ｂは、ＡＩＴ記憶部２３に記憶されるＡＩＴのうち、所定アプリケーションに関連する個別管理情報を受信機側連携管理部７０に出力する。受け渡し部１７ｂは、ＡＩＴ記憶部２３に記憶されるＡＩＴのうち、所定アプリケーションに関連する識別情報又はロケーション情報（取得先情報）を受信機側連携管理部７０に出力する。
【００５５】
図４は、ＸＭＬ形式で記述されたＡＩＴの一例を示す図である。上述したように、ＡＩＴには、１又は複数のアプリケーションそれぞれに対応し、１又は複数のアプリケーションそれぞれを管理するための個別管理情報が１又は複数含まれる。
具体的には、図４に示される＜ｍｈｐ：Ａｐｐｌｉｃａｔｉｏｎ＞タグから＜／ｍｈｐ：Ａｐｐｌｉｃａｔｉｏｎ＞タグまでに記述されているコードは、一のアプリケーションに関する個別管理情報に対応している。ＡＩＴには、＜／ｍｈｐ：Ａｐｐｌｉｃａｔｉｏｎ＞タグの後に、他のアプリケーションの個別管理情報を新たに記述することによって、複数の個別管理情報を記述することができる。
【００５６】
また、個別管理情報に対応するコードのうち、例えば、＜ｍｈｐ：ａｐｐＩｄ＞タグに対応するコードは、アプリケーションのＩＤ（識別情報）を示している。また、＜ｍｈｐ：ｃｏｎｔｒｏｌＣｏｄｅ  ｍｈｐ：ｔｙｐｅ＝“ＡＲＩＢ−Ｊ”＞タグに対応するコードは、このアプリケーションのライフサイクル制御情報を示しており、図４に示される「ＡＵＴＯＳＴＡＲＴ」は、受信機４によってアプリケーションを自動実行させるライフサイクル制御情報である。また、＜ｍｈｐ：ｌｏｃａｔｉｏｎ＞タグに対応するコードは、このアプリケーションの所在を示すロケーション情報（取得先情報）を示している。図４に示されるように、ロケーション情報には、アプリケーションの所在として、サービスサーバ３のアドレスが記述されている。なお、ロケーション情報には、アプリケーションの所在として、受信機４を指定することもできる。
【００５７】
アプリケーション実行制御部１７ａは、ＡＩＴ記憶部２３を監視し、新たにＡＩＴが記憶された場合に、このＡＩＴに記述されているライフサイクルに係る制御情報を参照する。そして、アプリケーション実行制御部１７ａは、ライフサイクルに係る制御情報が「自動実行」を示すものである場合、ＡＩＴに記述されているロケーション情報をアプリケーションの取得先として、受信機側通信部１４及び第２分離部１５を介してサービスサーバ３からアプリケーションを取得し、取得したアプリケーションを実行する。この場合、アプリケーションは、受信機４のユーザから明示的な操作指示を受けることなく自動的に実行される。
【００５８】
また、アプリケーション実行制御部１７ａは、受信機４のユーザからリモコンを介してアプリケーションの実行指示を受け付ける。例えば、リモコンには、Ｈｙｂｒｉｄｃａｓｔ（登録商標）ボタンが設けられており、アプリケーション実行制御部１７ａは、受信機４のユーザによってＨｙｂｒｉｄｃａｓｔボタンが押下されたことに応じて、実行するアプリケーションの選択を受け付けるためのメニュー画面の実行指示を受け付ける。アプリケーション実行制御部１７ａは、メニュー画面の実行指示を受け付けたことに応じて、ＡＩＴ記憶部２３を参照し、実行可能なアプリケーションのＡＩＴを特定する。そして、アプリケーション実行制御部１７ａは、特定したＡＩＴに対応するアプリケーションを選択可能なメニュー画面を構成する映像データを表示制御部１９に出力して、このメニュー画面を受信機側表示部２１に表示させる。この場合、受信機側表示部２１には、例えば、アプリケーションに対応したアイコンが所定の表示優先度に応じた位置及び領域に表示される。受信機４のユーザからリモコンを介してアプリケーションの選択操作を受け付けた場合、アプリケーション実行制御部１７ａは、ＡＩＴに記述された当該アプリケーションのロケーション情報（取得先情報）を参照してアプリケーションを取得し、アプリケーションを実行する。
【００５９】
アプリケーションは、アプリケーション実行制御部１７ａに対して、アプリ用コンテンツの映像データ及び音声データをサービスサーバ３から取得させる。そして、アプリケーション実行制御部１７ａは、アプリケーションによって取得したアプリ用コンテンツの音声データを音声制御部１８に出力するとともに、アプリケーションによって取得したアプリ用コンテンツの映像データを表示制御部１９に出力する。ここで、アプリケーションが番組コンテンツに連動するアプリコンテンツを提供するアプリケーションである場合には、アプリ用コンテンツの映像データ及び音声データが番組コンテンツの映像データ及び音声データに連動して受信機側表示部２１に表示される。
【００６０】
また、アプリケーション実行制御部１７ａは、ＡＩＴ記憶部２３を監視し、実行中のアプリケーションに対応する個別管理情報を記述したＡＩＴが新たにＡＩＴ記憶部２３に記憶された場合、この個別管理情報に含まれるライフサイクル制御情報に基づいて、実行中のアプリケーションを制御する。例えば、アプリケーションのライフサイクル制御情報が「終了」を示すものであるとき、アプリケーションを終了させる。
【００６１】
音声制御部１８は、第１分離部１２から出力された音声データを、表示制御部１９により表示制御される映像データと同期をとりながらスピーカ２０に出力する。また、音声制御部１８は、アプリケーション実行制御部１７ａから出力された音声データが表示制御部１９により表示制御される映像データと同期可能である場合、この映像データと同期をとりながら音声データをスピーカ２０に出力する。
【００６２】
表示制御部１９は、第１分離部１２から出力された映像データを、音声制御部１８により出力制御される音声データと同期をとりながら受信機側表示部２１に表示させる。また、表示制御部１９は、アプリケーション実行制御部１７ａから出力された映像データが音声制御部１８により出力制御される音声データと同期可能である場合、この音声データと同期をとりながら映像データを受信機側表示部２１に表示させる。
また、表示制御部１９は、アプリケーションレイアウト管理部９１からのアプリケーションレイアウト情報に基づいて、所定の表示位置及び表示領域にアプリケーション、又はアプリケーションに対応づけられたアイコンを表示させる。
【００６３】
メモリ２２は、ＥＩＴ等の番組コンテンツのメタ情報やその他各種情報を記憶する。
ＡＩＴ記憶部２３（アプリケーション管理情報記憶部）は、放送ＡＩＴ取得部１３及び通信ＡＩＴ取得部１６によって取得されたＡＩＴを記憶する。ＡＩＴ記憶部２３は、番組コンテンツ信号から分離されたＡＩＴ（アプリケーション管理情報）を記憶する。
【００６４】
アプリケーション記憶部２４は、アプリケーションを記憶する。
アプリケーション記憶部２４は、予めインストールされたアプリケーションのほか、受信機４が取得したアプリケーションを記憶する。
具体的には、アプリケーション記憶部２４は、アプリケーション実行制御部１７ａがＡＩＴに基づいて取得したアプリケーションを記憶する。
【００６５】
受信機側連携管理部７０は、端末装置４０との連携を管理する。受信機側連携管理部７０は、後述する端末装置側連携管理部５０とデータ等の送受信を行い、端末連携システム２００を形成する。受信機側連携管理部７０については、後に詳述する。
【００６６】
アプリケーションレイアウト管理部９１は、アプリケーション、又はアプリケーションに対応づけられたアイコンの受信機側表示部２１における表示位置及び表示領域を管理する。
アプリケーションレイアウト管理部９１は、例えば、ＡＩＴ（個別管理情報）に含まれる優先度情報や、アプリケーションレイアウト管理部９１において設定された表示優先度のルールに基づいて、アプリケーション、又はアプリケーションに対応づけられたアイコンの表示位置及び表示領域を設定及び管理する。
また、アプリケーションレイアウト管理部９１は、表示制御部１９にアプリケーションレイアウト情報を出力する。
アプリケーションレイアウト管理部９１については、後に詳述する。
【００６７】
端末装置４０は、受信機４とともに端末連携システム２００を構成する。
端末装置４０は、受信機４と連携可能に構成される。具体的には、端末装置４０は、受信機４と連携するための端末装置側連携管理部５０を有する。
端末装置４０については、後に詳述する。
【００６８】
続けて、図５により、端末連携システム１００について説明する。
図５は、端末連携システムにおける受信機側連携管理部及び端末装置側連携管理部の機能構成を示すブロック図である。
【００６９】
ここで、端末連携システム２００は、放送又は通信を介して番組コンテンツとアプリケーション管理情報（ＡＩＴ）とが多重化されて構成される番組コンテンツ信号を受信すると共に受信機側表示部を有する受信機４と、受信機４と連携可能であると共に受信機４に対して所定アプリケーションの識別情報又は取得先情報を含むアプリケーション情報の出力を要求する端末装置４０と、を有する。
【００７０】
図５に示すように、端末連携システム１００は、端末装置４０と、受信機４とを有して構成される。
まず、端末装置４０について説明する。
端末装置４０は、端末装置側通信部４１と、端末側表示部４２と、座標検出部４４と、端末装置側連携管理部５０と、端末装置側アプリケーション制御部６０と、を有する。
【００７１】
端末装置側通信部４１は、受信機側通信部１４と同様に、１又は複数の通信方式によりサービスサーバ３や受信機４等とデータ等の送受信を行うための通信インタフェースである。また、受信機側通信部１４と同様に、通信方式は特に制限されず、例えば、公衆網やＬＡＮ（Ｌｏｃａｌ  Ａｒｅａ  Ｎｅｔｗｏｒｋ）等の通信ネットワークＮを介した通信（有線、無線）、赤外線通信、ブルートゥース（Ｂｌｕｅｔｏｏｔｈ）通信を例示できる。
端末装置側通信部４１は、本実施形態においては、通信ネットワークＮを介してサービスサーバ３とデータ等の送受信を行う通信インタフェース機能を有する。また、端末装置側通信部４１は、本実施形態においては、赤外線通信やブルートゥース通信などを利用して受信機４とデータ等の送受信を行う通信インタフェース機能を有する。
【００７２】
端末装置側通信部４１は、受信機４（受信機側通信部１４）に対して、アプリケーション指定情報や、アプリケーション情報の出力の要求を出力可能に構成される。
また、端末装置側通信部４１は、受信機４（受信機側通信部１４）から出力される所定アプリケーションの識別情報又は取得先情報を含むアプリケーション情報を受信可能に構成される。
また、端末装置側通信部４１は、取得先情報により特定されるサービスサーバ３（配信サーバ）に対して、所定アプリケーションを要求する要求情報を出力可能に構成されると共に、サービスサーバ３から出力された所定アプリケーションを受信可能に構成される。
【００７３】
端末側表示部４２は、アプリケーションを表示可能に構成される。端末側表示部４２は、後述するアプリケーション取得部５６により取得されたアプリケーションの内容を表示可能に構成される。
また、端末側表示部４２は、タッチセンサ４２ａを有する。
【００７４】
タッチセンサ４２ａは、端末側表示部４２における表示面に配置され、物体の接触を検出可能に構成される。タッチセンサ４２ａは、例えば、ユーザの指や、タッチペンが端末側表示部４２に接触したことを検知する。タッチセンサ４２ａにおける方式は特に限定されず、タッチセンサ４２ａは、例えば、静電容量方式や、電極方式や、赤外線方式等により構成される。
タッチセンサ４２ａは、検知結果を、座標検出部４４に出力する。
【００７５】
座標検出部４４は、タッチセンサ４２ａにおける検出結果に基づいて、端末側表示部４２の表示面における物体が接触した接触位置を座標として検出する。座標検出部４４は、例えば、端末側表示部４２における短手方向（幅方向）をＸ座標とし、長手方向（縦方向）をＹ座標として、接触位置の座標を検知する。
【００７６】
端末装置側連携管理部５０は、座標変換部５３と、アプリケーション情報要求部５４と、アプリケーション情報受付部５５と、アプリケーション取得部５６と、を有する。
端末装置側連携管理部５０は、受信機４との連携を管理する。端末装置側連携管理部５０は、受信機側連携管理部７０とデータ等の送受信を行い、端末連携システム２００を形成する。
【００７７】
座標変換部５３は、座標検出部４４により検出された座標を、受信機４の解像度情報に基づいて受信機側表示部２１における表示面の座標に変換する。
座標変換部５３は、予め受信機側表示部２１における解像度情報を有していてもよく、連携時に受信機から取得してもよい。
座標変換部５３は、変換した変換座標をアプリケーション情報要求部５４に出力する。
【００７８】
アプリケーション情報要求部５４は、端末装置側通信部４１を介して、座標変換部５３により変換された変換座標の情報を含むアプリケーション指定情報を出力すると共に、アプリケーション指定情報により特定されるアプリケーションの識別情報又は取得先情報を含むアプリケーション情報の出力を要求する。
【００７９】
アプリケーション情報受付部５５は、端末装置側通信部４１を介して、受信機４から出力されたアプリケーション情報を受け付ける。
アプリケーション情報受付部５５は、アプリケーション情報要求部５４がアプリケーション情報の出力の要求をした場合、受信機４により出力される所定アプリケーションのアプリケーション情報を受け付ける。
ここで、アプリケーション情報は、所定アプリケーションの取得先情報（端末装置用取得先情報）や、アプリケーションの識別情報（アプリケーション名、アプリケーションＩＤ）等のうち少なくとも１つを含む。
アプリケーション情報に含まれる情報は、後述する実施例により異なる。
【００８０】
アプリケーション取得部５６は、端末装置側通信部４１を介して、アプリケーション情報に基づいて、所定アプリケーションを取得する。
具体的には、アプリケーション取得部５６は、アプリケーション情報に含まれるアプリケーションの取得情報（端末装置用取得先情報）に基づいて、所定アプリケーションを取得する。
【００８１】
また、アプリケーション取得部５６は、アプリケーション情報に含まれる識別情報と、端末装置側取得先情報管理部に記憶される端末装置用のアプリケーション取得先情報（端末装置用取得先情報）に基づいて、所定アプリケーションを取得する。
この場合、端末装置４０は、端末装置用のアプリケーション取得先情報（例えば、端末装置用のアプリケーション配信サーバのＵＲＬ等）を記憶する端末装置側取得先情報管理部８７を備える（図６Ｂ参照）。
【００８２】
端末装置側アプリケーション制御部６０は、アプリケーション取得部５６により取得されたアプリケーションの実行を制御する。そして、端末装置側アプリケーション制御部６０は、アプリケーションの実行によってサービスサーバ３から取得されたアプリ用コンテンツの音声データを端末側音声制御部（不図示）に出力するとともに、サービスサーバ３から取得されたアプリ用コンテンツの映像データを端末側表示制御部（不図示）に出力する。これにより、端末側表示部４２には、所定アプリケーションの内容等が表示される。
【００８３】
次いで、受信機４について説明する。
受信機４は、受信機側通信部１４と、受信機側連携管理部７０と、アプリケーションレイアウト管理部９１と、受け渡し部１７ｂと、ＡＩＴ記憶部２３と、アプリケーション記憶部２４と、を有する。
【００８４】
受信機側通信部１４は、上述の通り、１又は複数の通信方式によりサービスサーバ３や端末装置４０等とデータ等の送受信を行うための通信インタフェースである。
受信機側通信部１４は、本実施形態においては、赤外線通信やブルートゥースなどを利用して端末装置４０とデータ等の送受信を行う通信インタフェース機能を有する。
【００８５】
受信機側通信部１４は、端末装置４０（端末装置側通信部４１）に対して、連携認証済みの通知情報や、所定アプリケーションの識別情報又は取得先情報を含むアプリケーション情報を出力可能に構成される。
受信機側通信部１４は、端末装置４０（端末装置側通信部４１）から出力されるアプリケーション指定情報や、アプリケーション情報の出力の要求を受信可能に構成される。
また、受信機側通信部１４は、ＡＩＴに含まれる取得先情報により特定されるサービスサーバ３（配信サーバ）に対して、所定アプリケーションを要求する要求情報を出力可能に構成されると共に、サービスサーバ３から出力された所定アプリケーションを受信可能に構成される。
【００８６】
受信機側連携管理部７０は、アプリケーション情報要求受付部７３と、要求アプリケーション判定部７４と、アプリケーション情報抽出部７５と、アプリケーション情報出力部７６と、を備える。
【００８７】
アプリケーション情報要求受付部７３は、受信機側通信部１４を介して、アプリケーション指定情報と、アプリケーション情報の出力の要求とを受け付ける。
【００８８】
要求アプリケーション判定部７４は、アプリケーションレイアウト管理部９１からアプリケーション又は、アプリケーションに対応したアイコンの表示位置及び表示領域を示す表示座標の情報を取得すると共に、該表示座標及びアプリケーション指定情報に含まれる変換座標に基づいて、変換座標が含まれるか、又は、変換座標に最も近い座標に表示されるアプリケーション又は前記アイコンに対応づけられたアプリケーションを、要求アプリケーションと判定する。
要求アプリケーション判定部７４は、端末側表示部４２においてユーザが指等で指定した位置と受信機側表示部２１において対応する位置に表示されたアプリケーション又はアイコンを要求アプリケーションとして判定する。
要求アプリケーション判定部は、例えば、後述する図６Ａにおいて、アプリケーションＡ（ＡＰＰ（Ａ））を要求アプリケーションとして判定する。
要求アプリケーション判定部７４は、判定結果（アプリケーションの識別情報）をアプリケーション情報抽出部７５又はアプリケーション情報出力部７６に出力する。
【００８９】
アプリケーション情報抽出部７５は、要求アプリケーションと判定されたアプリケーションの識別情報又は取得先情報（端末装置用取得先情報）を抽出する。アプリケーション情報抽出部７５は、受け渡し部１７ｂを介して、要求アプリケーションと判定されたアプリケーションの識別情報又は取得先情報（端末装置用取得先情報）を抽出する。
アプリケーション情報抽出部７５により抽出される情報は、後述する実施例により異なる。
【００９０】
また、アプリケーション情報抽出部７５は、ＡＩＴがアプリケーションに対応する取得先情報を複数含むと共に、端末装置用の取得先情報（端末装置用取得先情報）を含む場合、ＡＩＴ記憶部２３に記憶されたＡＩＴ（個別管理情報）から、要求アプリケーションと判定されたアプリケーションに対応する複数の取得先情報のうち少なくとも端末装置用の取得先情報を抽出する（図６Ａ参照）。
【００９１】
また、アプリケーション情報抽出部７５は、ＡＩＴ記憶部２３に記憶されたＡＩＴ（個別管理情報）から、要求アプリケーションと判定されたアプリケーションの識別情報を抽出する。
【００９２】
また、アプリケーション情報抽出部７５がアプリケーションの識別情報を抽出する場合であって、更に、受信機４が抽出した識別情報（アプリケーション名、アプリケーションＩＤ）を含むアプリケーション情報を出力する場合、端末装置４０は、端末装置用のアプリケーション取得先情報を記憶する端末装置側取得先情報管理部８７を備える（図６Ｂ参照）。
【００９３】
アプリケーション情報出力部７６は、受信機側通信部１４を介して、要求アプリケーションと判定されたアプリケーションの識別情報又は取得先情報（端末装置用取得先情報）を含むアプリケーション情報を端末装置４０に出力する。
アプリケーション情報出力部７６により出力される情報は、後述する実施例より異なる。
【００９４】
また、アプリケーション情報出力部７６は、アプリケーション情報抽出部７５により抽出された端末装置用取得先情報を含むアプリケーション情報を出力する（図６Ａ参照）。
【００９５】
また、アプリケーション情報出力部７６は、アプリケーション情報抽出部７５により抽出された識別情報（アプリケーション名、アプリケーションＩＤ）を出力する（図６Ｂ参照）。
【００９６】
アプリケーションレイアウト管理部９１は、アプリケーション、又はアプリケーションに対応づけられたアイコンの受信機側表示部２１における表示位置及び表示領域を管理する。
アプリケーションレイアウト管理部９１は、例えば、ＡＩＴ（個別管理情報）に含まれる優先度情報や、アプリケーションレイアウト管理部９１において設定された表示優先度のルールに基づいて、アプリケーション、又はアプリケーションに対応づけられたアイコンの表示位置及び表示領域を設定、管理する。
また、アプリケーションレイアウト管理部９１は、表示制御部１９にアプリケーションレイアウト情報を出力する。
【００９７】
アプリケーションレイアウト管理部９１は、アプリケーション又はアプリケーションに対応するアイコンの表示位置及び表示領域を示す表示座標の情報を要求アプリケーション判定部７４に出力する。
【００９８】
アプリケーションレイアウト管理部９１は、表示優先度を管理すると共に、表示優先度に応じてアプリケーション又は前記アイコンの表示位置及び表示領域を変更可能としてもよい。
また、アプリケーションレイアウト管理部９１は、アプリケーション情報出力部７６が所定アプリケーション又は所定アプリケーションのアプリケーション情報を出力した場合、該所定アプリケーションにおける表示優先度を、該所定アプリケーション又は所定アプリケーションに対応づけられたアイコンが受信機側表示部２１に表示されない低い表示優先度に変更する。
アプリケーションレイアウト管理部９１は、端末装置４０側で実行されるアプリケーションについて、その内容又はアイコンを受信機側表示部２１において非表示とするよう表示優先度を変更する。
【００９９】
受け渡し部１７ｂは、アプリケーション情報抽出部７５からの要求に対応して、ＡＩＴ記憶部２３から所定ＡＩＴ（例えば、所定アプリケーションに対応する個別管理情報）をアプリケーション情報抽出部７５に出力する。
【０１００】
続けて、図６Ａから図８Ｂにより、端末連携システム２００の動作について説明する。
図６Ａは、第１実施例における端末連携システムの動作を説明する模式図である。図６Ｂは、第２実施例における端末連携システムの動作を説明する模式図である。図７Ａは、端末装置側でアプリケーションを選択した場合における受信機側表示部及び端末側表示の画面変更を説明する図である。図７Ｂは、端末装置側でアプリケーションを選択した場合における受信機側表示部及び端末側表示の画面変更を説明する図である。図８Ａは、第１実施例における端末連携システムの動作を説明するフロー図である。図８Ｂは、第２実施例における端末連携システムの動作を説明するフロー図である。
【０１０１】
続けて、図８Ａを中心に、第１実施例における端末連携システムの動作を説明する。第１実施例は、端末装置４０がアプリケーション情報を要求し、受信機４がＡＩＴから抽出した端末装置用取得先情報を含むアプリケーション情報を出力する実施態様である。
図８Ａに示すように、まず、ステップＳＴ１０１において、ユーザが端末側表示部４２における所定位置に指を接触させると、タッチセンサ４２ａは、端末側表示部４２への接触を検知する。そして、タッチセンサ４２ａは、検知結果を座標検出部４４に出力する。
【０１０２】
次いで、ステップＳＴ１０２において、座標検出部４４は、タッチセンサ４２ａから出力された検知結果に基づいて、接触位置を座標として検出する。座標検出部４４は、検出した座標の情報を座標変換部５３に出力する。
【０１０３】
続けて、ステップＳＴ１０３において、座標変換部５３は、座標検出部４４により検出された座標を、受信機４の解像度情報に基づいて受信機側表示部２１における表示面の座標に変換する。そして、座標変換部５３は、変換座標をアプリケーション情報要求部５４に出力する。
【０１０４】
続けて、ステップＳＴ１０４において、アプリケーション情報要求部５４は、端末装置側通信部４１を介して、座標変換部５３により変換された変換座標の情報を含むアプリケーション指定情報を出力すると共に、アプリケーション指定情報により特定されるアプリケーション情報の出力を要求する。
【０１０５】
続けて、ステップＳＴ１０５において、受信機４（アプリケーション情報要求受付部７３）は、アプリケーション指定情報と、アプリケーション指定情報により特定されるアプリケーションの出力要求を受け付ける。アプリケーション情報要求受付部７３は、アプリケーション指定情報を要求アプリケーション判定部７４に出力する。
【０１０６】
続けて、ステップＳＴ１０６において、要求アプリケーション判定部７４は、アプリケーションレイアウト管理部９１からアプリケーション又はアイコンの表示位置及び表示領域を示す表示座標の情報を取得すると共に、取得した表示座標及びアプリケーション指定情報に含まれる変換座標に基づいて、変換座標が含まれるか、又は、変換座標に最も近い座標に表示されるアプリケーション又はアイコンに対応づけられたアプリケーションを、要求アプリケーションと判定する。そして、要求アプリケーション判定部７４は、判定結果をアプリケーション情報抽出部７５に出力する。
【０１０７】
そして、ステップＳＴ１０７において、アプリケーション情報抽出部７５は、要求アプリケーションと判定されたアプリケーションの端末装置用取得先情報をＡＩＴ（個別管理情報）から抽出する。
アプリケーション情報抽出部７５は、所定のアプリケーションに対して複数の取得先情報が含まれている場合において、端末装置用取得先情報をＡＩＴ（個別管理情報）から抽出する。
例えば、図６Ａに示すように、アプリケーション情報抽出部７５は、要求アプリケーションＡＰＰ（Ａ）の端末装置用ロケーション情報「http://aaa2」（ロケーション情報２）をＡＩＴから抽出する。
【０１０８】
続けて、ステップＳＴ１０８において、アプリケーション情報出力部７６は、受信機側通信部１４を介して、要求アプリケーションと判定されたアプリケーションの端末装置用取得先情報を含むアプリケーション情報を端末装置４０に出力する。
【０１０９】
続けて、ステップＳＴ１０９において、端末装置４０（アプリケーション情報受付部５５）は、受信機４から出力された端末装置用取得先情報を含むアプリケーション情報を受け付ける。
【０１１０】
続けて、ステップＳＴ１１０において、アプリケーション取得部５６は、アプリケーション情報に含まれる端末装置用取得先情報に基づいて、サービスサーバ３にアプリケーションを要求する。
【０１１１】
続けて、ステップＳＴ１１１において、サービスサーバ３は、アプリケーションの要求を受け付ける。
続けて、ステップＳＴ１１２において、サービスサーバ３は、アプリケーションを出力する。
【０１１２】
続けて、ステップＳＴ１１３において、端末装置４０（アプリケーション取得部５６）は、アプリケーションを取得する。
続けて、ステップＳＴ１１４において、端末装置側アプリケーション制御部６０は、受け付けたアプリケーションを実行させる。これにより、端末側表示部４２は、アプリケーションの内容が表示される（図７Ｂ参照）。
【０１１３】
そして、ステップＳＴ１１５において、アプリケーションレイアウト管理部９１は、受信機側表示部２１におけるアプリケーション又はアイコンのレイアウトを変更する（７Ａ及び図７Ｂ参照）。
【０１１４】
続けて、図８Ｂを中心に、第２実施例における端末連携システムの動作を説明する。第２実施例は、端末装置４０がアプリケーション情報を要求し、受信機４がＡＩＴから抽出した識別情報を含むアプリケーション情報を出力する実施態様である。
図８Ｂに示すように、まず、ステップＳＴ２０１において、ユーザが端末側表示部４２における所定位置に指を接触させると、タッチセンサ４２ａは、端末側表示部４２への接触を検知する。そして、タッチセンサ４２ａは、検知結果を座標検出部４４に出力する。
【０１１５】
次いで、ステップＳＴ２０２において、座標検出部４４は、タッチセンサ４２ａから出力された検知結果に基づいて、接触位置を座標として検出する。座標検出部４４は、検出した座標の情報を座標変換部５３に出力する。
【０１１６】
続けて、ステップＳＴ２０３において、座標変換部５３は、座標検出部４４により検出された座標を、受信機４の解像度情報に基づいて受信機側表示部２１における表示面の座標に変換する。そして、座標変換部５３は、変換座標をアプリケーション情報要求部５４に出力する。
【０１１７】
続けて、ステップＳＴ２０４において、アプリケーション情報要求部５４は、端末装置側通信部４１を介して、座標変換部５３により変換された変換座標の情報を含むアプリケーション指定情報を出力すると共に、アプリケーション指定情報により特定されるアプリケーション情報の出力を要求する。
【０１１８】
続けて、ステップＳＴ２０５において、受信機４（アプリケーション情報要求受付部７３）は、アプリケーション指定情報と、アプリケーション指定情報により特定されるアプリケーションの出力要求を受け付ける。アプリケーション情報要求受付部７３は、アプリケーション指定情報を要求アプリケーション判定部７４に出力する。
【０１１９】
続けて、ステップＳＴ２０６において、要求アプリケーション判定部７４は、アプリケーションレイアウト管理部９１からアプリケーション又はアイコンの表示位置及び表示領域を示す表示座標の情報を取得すると共に、取得した表示座標及びアプリケーション指定情報に含まれる変換座標に基づいて、変換座標が含まれるか、又は、変換座標に最も近い座標に表示されるアプリケーション又はアイコンに対応づけられたアプリケーションを、要求アプリケーションと判定する。そして、要求アプリケーション判定部７４は、判定結果をアプリケーション情報抽出部７５に出力する。
【０１２０】
そして、ステップＳＴ２０７において、アプリケーション情報抽出部７５は、要求アプリケーションと判定されたアプリケーションの識別情報をＡＩＴ（個別管理情報）から抽出する。
例えば、図６Ｂに示すように、アプリケーション情報抽出部７５は、要求アプリケーションのアプリケーション名「ＡＰＰ（Ａ）」と、アプリケーションＩＤ「100」とをＡＩＴから抽出する。
【０１２１】
続けて、ステップＳＴ２０８において、アプリケーション情報出力部７６は、受信機側通信部１４を介して、要求アプリケーションと判定されたアプリケーションの識別情報を含むアプリケーション情報を端末装置４０に出力する。
【０１２２】
続けて、ステップＳＴ２０９において、端末装置４０（アプリケーション情報受付部５５）は、受信機４から出力された識別情報を含むアプリケーション情報を受け付ける。
【０１２３】
続けて、ステップＳＴ２１０において、アプリケーション取得部５６は、端末装置側取得先情報管理部８７に記憶される端末装置用のアプリケーション取得先情報（端末装置側取得先情報）を取得する。
【０１２４】
続けて、ステップＳＴ２１１において、アプリケーション取得部５６は、取得した端末装置側取得先情報により特定されるサービスサーバ３に対して、前記アプリケーション情報に基づくアプリケーションを要求する。
【０１２５】
続けて、ステップＳＴ２１２において、サービスサーバ３は、アプリケーションの要求を受け付ける。
続けて、ステップＳＴ２１３において、サービスサーバ３は、アプリケーションを出力する。
【０１２６】
続けて、ステップＳＴ２１４において、端末装置４０（アプリケーション取得部５６）は、アプリケーションを取得する。
続けて、ステップＳＴ２１５において、端末装置側アプリケーション制御部６０は、受け付けたアプリケーションを実行させる。これにより、端末側表示部４２は、アプリケーションの内容が表示される（図７Ｂ参照）。
【０１２７】
そして、ステップＳＴ２１６において、アプリケーションレイアウト管理部９１は、受信機側表示部２１におけるアプリケーション又はアイコンのレイアウトを変更する（７Ａ及び図７Ｂ参照）。
【０１２８】
本実施形態によれば、受信機と端末装置とを含む端末連携システムであって、端末装置側に選択画面を表示させることなくアプリケーションを選択可能であると共に、受信機から端末装置に出力する情報量が抑制された端末連携システムを提供することができる。
【０１２９】
また、本実施形態によれば、端末連携システムは、ユーザが端末側表示部における所定位置であって受信機側表示部に表示されたアプリケーション（アイコン）に対応する位置に接触することで、アプリケーションを選択可能に構成される、これにより、端末連携システムにおいて、端末装置は、受信機側から選択画面等の情報を取得することなく、受信機側表示部に表示されたアプリケーション（アイコン）を選択可能に構成される。
【０１３０】
また、本実施形態によれば、端末連携システムは、受信機がＡＩＴから所定情報を抽出して（抽出した情報に基づいて必要な情報を取得して）、端末装置に出力するよう構成される。これにより、端末連携システムは、受信機において取得したＡＩＴを好適に利用するシステムである。
【０１３１】
また、本実施形態によれば、端末連携システムは、受信機内で蓄積したＡＩＴのうち、受信機が端末装置で要求したアプリケーション対応する情報（識別情報、取得先情報）のみを出力するよう構成される。これにより、端末連携システムにおいて、受信機から端末装置に出力される情報が非常に少ないと共に、必要最小限に限定している。
【０１３２】
また、本実施形態によれば、端末連携システムは、受信機が端末装置で要求したアプリケーションの取得先情報を出力するよう構成されるので、端末装置が独自にアプリケーションを取得可能に構成される。
【０１３３】
また、本実施形態によれば、端末連携システムは、受信機が端末装置で要求したアプリケーションの取得先情報うち端末装置用取得先情報を出力するよう構成されるので、アプリケーションが複数のサービスサーバに格納された場合であっても、端末装置がアプリケーションを取得可能に構成される。
【０１３４】
また、本実施形態によれば、端末連携システムは、受信機が端末装置で要求したアプリケーションの識別情報を出力するよう構成されると共に、端末装置が管理している取得先に対してアプリケーションの識別情報に基づいたアプリケーションを取得するよう構成される。これにより、端末装置は、アプリケーションの識別情報だけわかれば、アプリケーションが端末装置専用のサービスサーバに格納された場合であっても、端末装置がアプリケーションを取得可能に構成される。
【０１３５】
以上、本発明の実施形態を用いて説明したが、本発明の技術的範囲は上記実施形態に記載の範囲には限定されない。上記実施形態に、多様な変更又は改良を加えることができる。そのような変更又は改良を加えた形態も本発明の技術的範囲に含まれうることが、特許請求の範囲の記載から明らかである。
【符号の説明】
【０１３６】
１      放送局
２      放送用アンテナ
３      サービスサーバ
４      受信機
１１    放送波受信部
１２    第１分離部
１３    放送ＡＩＴ取得部
１４    受信機側通信部
１５    第２分離部
１６    通信ＡＩＴ取得部
１７    制御部
１７ａ  アプリケーション実行制御部
１７ｂ  受け渡し部
１８    音声制御部
１９    表示制御部
２０    スピーカ
２１    受信機側表示部
２２    メモリ
２３    ＡＩＴ記憶部
２４    アプリケーション記憶部
４０    端末装置
４１    端末装置側通信部
４２    端末側表示部
４２ａ  タッチセンサ
４４    座標検出部
５０    端末装置側連携管理部
５１    ユーザ識別情報管理部
５２    連携要求出力部
５３    座標変換部
５４    アプリケーション情報要求部
５５    アプリケーション情報受付部
５６    アプリケーション取得部
６０    端末装置側アプリケーション制御部
７０    受信機側連携管理部
７１    連携認証部
７２    アカウント管理部
７３    アプリケーション情報要求受付部
７４    要求アプリケーション判定部
７５    アプリケーション情報抽出部
７６    アプリケーション情報出力部
８０    受信機側取得先情報管理部
８５    第１端末装置用情報取得部
８７    端末装置側取得先情報管理部
８９    第２端末装置用情報取得部
９１    アプリケーションレイアウト管理部
１００  放送通信連携システム
２００  端末連携システム
【図１】
0005825844.tif 000002
【図２】
0005825844.tif 000003
【図３】
0005825844.tif 000004
【図４】
0005825844.tif 000005
【図５】
0005825844.tif 000006
【図６Ａ】
0005825844.tif 000007
【図６Ｂ】
0005825844.tif 000008
【図７Ａ】
0005825844.tif 000009
【図７Ｂ】
0005825844.tif 000010
【図８Ａ】
0005825844.tif 000011
【図８Ｂ】
0005825844.tif 000012